(57)【特許請求の範囲】
【請求項１】
胴体１上に爪孔２４を穿設し、該爪孔２４の前後に取付柱１０，１１を立設し、カバー７は前方の取付柱１０に係合する前方被係合部３２と、後方の取付柱１１内を可動する後方被係合部３３を設け、上壁２８の前端に前方の取付柱１０に対向する弾性片３１を斜設し、側壁２７に引手８の枢軸３７が挿通できる開口部２９を設け、開口部２９の後方側に停止爪３０を設け、前方の取付柱１０の前方側面に突出する張出し部１３を設け、該張出し部１３にフック片１５を後方へ向けて突設して下方に収容部１６を設け、該収容部１６に前方被係合部３２を嵌入してカバー７を装着し、張出し部１３とフック片１５との境界に段差を設けてガイド部１４を形成してなる、ことを特徴とする自動停止装置付スライドファスナー用スライダー。
【請求項２】
フック片１５の頂端側が内向に傾斜する斜面１９に形成してなる請求項１記載の自動停止装置付スライドファスナー用スライダー。
【請求項３】
フック片１５は前方の取付柱１０の両側の外側に対称に形成してなる請求項１記載の自動停止装置付スライドファスナー用スライダー。
【請求項４】
収容部１６は前方被係合部３２の先端と対面し、封鎖された前端部３６を有し、該前端部３６とガイド部１４とが一致する形に形成してなる請求項１記載の自動停止装置付スライドファスナー用スライダー。
【請求項５】
張出し部１３は、側面形状が頂端から中央にかけて漸次広幅に形成し、ガイド部１４が傾斜状を呈する形に形成してなる請求項１記載の自動停止装置付スライドファスナー用スライダー。
【発明の詳細な説明】
【技術分野】
【０００１】
この発明は、自動停止機構を備えたスライドファスナーに用いるスライダーであって、停止爪を有するカバーを引手の引張り操作によって、停止機能を働かせることができる自動停止装置付スライドファスナー用スライダーに関するものである。
【背景技術】
【０００２】
従来、スライダーの胴体の前後に立設したカバー取付柱間に架設するカバーは、図１１に展開して示すように、前方の取付柱の前面に固定するための弾性片を突出状に設け、この弾性片の基部の下方に前方の取付柱に揺動可能に取り付けることができる係止片を左右に設け、カバーの他端すなわち後方には、後方の取付柱に揺動可能に取り付けるための係止片を設け、この係止片の基部に左右そご状の停止爪を外方へ向けて突出するように設け、一方の停止爪の基部を幅広く形成してファスナーエレメントの上面を押圧できる押圧部を形成し、左右の停止爪は、それぞれ胴体の後方に設けた取付柱の両側に穿設した爪孔に挿入し、停止爪と押圧部の基部に引手の枢軸が挿通できる凹状の軸挿入部を設け、この素材を図１２に示すように折り曲げてカバーを形成し、引手の枢軸を取り付けて引手の引き上げ操作によって、カバーの後端を持ち上げて左右の停止爪を前後のファスナーエレメント間から離脱させてスライダーの前後方向への摺動ができるように形成した自動停止装置付スライドファスナー用スライダーが知られている。
【０００３】
また、図１３に示すように、スライダーの胴体に揺動自在に取り付けたカバーにおける左右の側壁に配された前後のファスナーエレメント間に挿入できる停止爪を穿設し、胴体の左右に穿設した爪孔に停止爪を挿入し、胴体の前方に立設した左右のフック状の取付柱にカバー前端に設けた係止片を挿入係止し、かつカバーの先方中央に突出状に設けた弾性片を取付柱間の支持部前面に固定してカバーの後端を上下に揺動できるように形成し、カバーの後端における左右に設けた係止片を胴体の後方に設けたフック状の取付柱に揺動できるように取り付け、カバーの停止爪の基部に設けた開口部に引手の枢軸を挿通して、引手の操作によってカバーを揺動自在に形成し、スライダーを前後に摺動させることができる自動停止装置付スライドファスナー用スライダーが知られている。
【特許文献１】米国特許第２６５７４４５号明細書
【特許文献２】米国特許第３２６７５４４号明細書
【発明の開示】
【発明が解決しようとする課題】
【０００４】
前項で述べた図１１〜１３に示した自動停止装置付スライドファスナー用スライダーは、ともに引手を後付けできるタイプのスライダーではなく、たとえ引手を後付け作業で取り付けるとしても、カバーを胴体に対し案内する機構が具備されていないため、専用の装置または器具を用いなければスライダーの組立てが困難であるなど問題点がある。特に最近は、顧客自身が予め引手を準備しておき、この引手を用いて個人が簡単にスライダーを組立て、アクセサリーとしてスライダーを用いるケースが増えている。しかしながらスライダーを個人が組立てるには難しい構造であり、容易に組立てることができないことが問題である。
【０００５】
この発明は、上述の問題点を考慮して発明されたものであり、この発明のうち請求項１記載の発明は、カバーに停止爪を一体に設け、このカバーを胴体上に設置した前方の取付柱に対しては弾発性が発揮できる形態に取り付け、後方の取付柱に対しては取付柱内を可動可能に取り付ける引手後付けタイプのスライダーであり、従前のスライダー製造装置を変えることなく、簡単かつ容易に組立てることができ、しかも顧客が望む引手を用いて個人が簡易にスライダーを組立て、スライダーをアクセサリーとして利用できる自動停止機構を備えたスライダーを提供することが主たる目的である。
【０００６】
請求項１記載の発明は、上記目的に加え、更に引手後付けタイプのスライダーのカバーを胴体上に立設した前方の取付柱に備えているガイド面を利用して簡易にスライダーを組立てることができる自動停止機構を備えたスライダーを提供することが目的である。
【０００７】
請求項２記載の発明は、請求項１記載の発明の目的に加え、引手後付けタイプのスライダーのカバーを胴体上に立設した前方の取付柱に備えているフック片を利用して簡易にスライダーを組立てることができる自動停止機構を備えたスライダーを提供することが目的である。
【０００８】
請求項３記載の発明は、請求項１記載の発明の目的に加え、引手後付けタイプのスライダーのカバーを胴体上に立設した前方の取付柱に対して安定した形態に取り付け組立てることができる自動停止機構を備えたスライダーを提供することが目的である。
【０００９】
請求項４記載の発明は、請求項１記載の発明の目的に加え、引手後付けタイプのスライダーのカバーに設置した前方被係合部を胴体上に立設した前方の取付柱に対して、的確にガイドし、安定した形態で収容部に収容できる自動停止機構を備えたスライダーを提供することが目的である。
【００１０】
請求項５記載の発明は、請求項１記載の発明の目的に加え、引手後付けタイプのスライダーのカバーを胴体上に立設した取付柱に設置した張出し部に対し、円滑かつ容易に誘導することができる形態に形成し、カバーの装着操作が容易にできる自動停止機構を備えたスライダーを提供することが目的である。
【課題を解決するための手段】
【００１１】
前記の目的を達成するため、この発明のうち請求項１記載の発明は、スライダー胴体１の上翼板２に停止爪３０用の爪孔２４を穿設し、この爪孔２４の前後に前方の取付柱１０および後方の取付柱１１を立設し、取付柱１０，１１を被覆するカバー７は前方の取付柱１０に係合する前方被係合部３２を形成し、また後方の取付柱１１に対しては取付柱１１内を可動する後方被係合部３３を設け、カバー７の前端には前方の取付柱１０に対向する弾性片３１を傾斜状に設けて取付柱１０に対接し、カバー７の側壁２５には引手８の枢軸３７が挿通できる開口部２９を設け、開口部２９の後方側に停止爪３０を設け、前方の取付柱１０の前方側面に側方へ突出する張出し部１３を設け、この張出し部１３の後端の中央にフック片１５を後方へ向けて突設して下方に前方被係合部３２を収容する収容部１６を設け、この収容部１６に前方被係合部３２を嵌入してカバー７を取り付けた自動停止装置付スライドファスナー用スライダーを主な構成とするものである。
【００１２】
請求項１記載の発明は、上記構成に加え、前方の取付柱１０に設置する張出し部１３とフック片１５との境界に段差を設けて、張出し部１３に隆起するガイド部１４を設けて、
前方被係合部３２の先端をガイドする自動停止装置付スライドファスナー用スライダーである。
【００１３】
請求項２記載の発明は、請求項１記載の発明の構成に加え、前方の取付柱１０に設置するフック片１５の頂端側が内側へ向けて傾斜する斜面１９を形成して前方被係合部３２の嵌入の便を図った自動停止装置付スライドファスナー用スライダーである。
【００１４】
請求項３記載の発明は、請求項１記載の発明の構成に加え、前方の取付柱１０に設置するフック片１５は前方の取付柱１０の両側の外側に左右対称に設けてカバー７を安定した形態で装着できる自動停止装置付スライドファスナー用スライダーである。
【００１５】
請求項４記載の発明は、請求項１記載の発明の構成に加え、前方の取付柱１０に設置する収容部１６は、カバー７の前方被係合部３２の先端と対面し、かつ封鎖された前端部３６を備え、この前端部３６と取付柱１０に形成したガイド部１４とが一致する形態に形成した自動停止装置付スライドファスナー用スライダーである。
【００１６】
請求項５記載の発明は、請求項１記載の発明の構成に加え、前方の取付柱１０に設置する張出し部１３は、スライダーを側面から見たときの形状が、頂端から中央にかけて漸次広幅に形成し、張出し部１３とフック片１５との間に形成されるガイド部１４が傾斜状を呈する形態に形成した自動停止装置付スライドファスナー用スライダーである。
【発明の効果】
【００１７】
この発明の効果として、請求項１記載の発明は、胴体上に爪孔を穿設し、該爪孔の前後に取付柱を立設し、カバーは前方の取付柱に係合する前方被係合部と、後方の取付柱内を可動する後方被係合部を設け、上壁の前端に前方の取付柱に対向する弾性片を斜設し、側壁に引手の枢軸が挿通できる開口部を設け、開口部の後方側に停止爪を設け、前方の取付柱の前方側面に突出する張出し部を設け、該張出し部の後端中央にフック片を後方へ向けて突設して下方に収容部を設け、該収容部に前方被係合部を嵌入してカバーを装着したことによって、下記の効果を奏する。
【００１８】
この発明は、引手後付けタイプのスライダーにおいて、カバーに停止爪を有し、かつ自動停止機構を備えたカバーを胴体上に立設した取付柱に対し、張出し部とフック片によって簡単かつ容易に取り付けることができ、しかも個人が手持ちの引手を用いて、正確かつ簡易に取付柱にカバーを取り付けてスライダーを組立て、スライダーをアクセサリーとして使用することができる効果がある。
【００１９】
請求項１記載の発明は、上記効果に加え、張出し部とフック片との境界に段差を設けてガイド部を形成したことによって、カバーを前方の取付柱に取り付けるのに、張出し部に設けたガイド部を利用して、カバーの前方被係合部を収容部に対し、簡易に収容することができる効果がある。
【００２０】
請求項２記載の発明は、請求項１記載の発明の効果に加え、フック片の頂端側が内向に傾斜する斜面に形成したことによって、カバーを前方の取付柱に取り付けるのに、フック片の頂端側に設けた斜面を利用して、カバーの前方被係合部をフック片に対し簡易に嵌入することができる効果がある。
【００２１】
請求項３記載の発明は、請求項１記載の発明の効果に加え、フック片は前方の取付柱の両側の外側に対称に形成したことによって、カバーを前方の取付柱に対し、左右均衡した状態で嵌入させることができ、また安定した形態で収容することができる効果がある。
【００２２】
請求項４記載の発明は、請求項１記載の発明の効果に加え、収容部は前方被係合部の先端と対面し、封鎖された前端部を有し、該前端部とガイド部とが一致する形に形成したことによって、カバーに設置した前方被係合部を、胴体に立設した取付柱の収容部に効率よく容易にガイドし、安定した状態でカバーを保持することができる効果がある。
【００２３】
請求項５記載の発明は、請求項１記載の発明の効果に加え、張出し部は、側面形状が頂端から中央にかけて漸次広幅に形成し、ガイド部が傾斜状を呈する形に形成したことによって、カバーに設置した前方被係合部をきわめて円滑かつ容易にガイド部が誘導し、カバーの装着操作が簡易に行うことができる効果があるなど、この発明が奏する効果はきわめて顕著である。
【発明を実施するための最良の形態】
【００２４】
この発明の自動停止装置付スライドファスナー用スライダーは、カバーにロック機構として停止爪を備えたスライダーであり、スライダーは図１，２に示すように胴体１、カバー７、引手８の３部材から構成され、胴体１は金属をダイカスト成形手段により成形し、カバー７は金属板をプレス加工によって形成し、引手８は好ましくは金属をダイカスト成形するが、合成樹脂製の引手８であってもよい。
【００２５】
スライダーの胴体１は、上翼板２と下翼板３とを案内柱４で連結し、上翼板２の両側にフランジ５を曲設して、各種の金属製、合成樹脂製のファスナーエレメントをガイドするガイド溝６を設け、上翼板２は中央長手方向に片側へ偏倚した位置に停止爪３０用の爪孔２４を穿設し、この爪孔２４の前後に前方の取付柱１０および後方の取付柱１１を上翼板２上に立設する。
【００２６】
前方の取付柱１０は、中央にカバー７を載置できる台形の支持部１２を長手方向を向く形で設け、この支持部１２の前面にカバー７に設けた弾性片３１を嵌装することができる傾斜する案内面１７を形成し、この案内面１７の両側に起立する張出し部１３を設け、この張出し部１３の頂端から半ばにかけての内側すなわち後口側にフック片１５を延設して、その下方に段差状を呈し、カバー７に設けた前方被係合部３２を収容できる収容部１６を形成し、収容部１６の前方は封鎖されて前端部３６を形成し、前方被係合部３２を安定した状態で保持する。さらに収容部１６の中央には小形の小突起２３を設けて、カバー７の前方被係合部３２に当接させる。
【００２７】
張出し部１３とフック片１５とは支持部１２の両外側に設置し、張出し部１３とフック片１５との境界には張出し部１３が側方へ突出して段差を設け、この段差がカバー７の前方被係合部３２を押込むときのガイド面となるガイド部１４を形成する。このガイド部１４と収容部１６の前端とは上下で一致する。またフック片１５の頂端側は内側へ向けて傾斜する斜面１９を設け、さらに張出し部１３の側面形状は頂端から中央にかけて漸次広幅に形成して、ガイド部１４が傾斜状を呈するように形成して、カバー７の前方被係合部３２を押込む操作が容易にできる形に形成し、支持部１２、張出し部１３およびフック片１５は三者一体になるように一体成形されている。
【００２８】
胴体１の上翼板２上に立設する後方の取付柱１１は、内面両側にカバー７の後方被係合部３３が上下に可動できる凸条に突出するガイド面２１を側面に設け、また後方の取付柱１１の上部は内方へ鍵形に突出する頂部２６を設けて、後方被係合部３３が上方への可動をストップさせる。さらに後方の取付柱１１の内面には爪孔２４を避けて一方へ偏倚した形で引手８の枢軸３７を摺接しガイドする引手案内部２２を前方へ向けて傾斜する形に一体に設ける。
【００２９】
カバー７は、側壁２７と上壁２８を曲設し、上壁２８の前端に支持部１２の前面に設けた案内面１７に弾接する弾性片３１を延設する。両側の側壁２７には、枢軸３７が嵌挿する開口部２９を設け、一方側の開口部２９の後端から連接して停止爪３０を下方へ向けて設け、側壁２７の下端前後にそれぞれ外方へ突出する前方被係合部３２と後方被係合部３３とを設けて前方の取付柱１０の収容部１６および後方の取付柱１１のガイド面２１に係合する形態に形成する。
【００３０】
スライダーの組立ては、カバー７の開口部２９に引手８の枢軸３７を嵌挿し、後方被係合部３３を後方の取付柱１１のガイド面２１に挿入するとともに、停止爪３０を爪孔２４に対向させ、弾性片３１を支持部１２の案内面１７に弾接させ、前方被係合部３２を前方の取付柱１０に形成したフック片１５の斜面１９を利用して上方から押込み、小突起１６を中心にカバー７が回動できる形に収容部１６に係合させる。
【００３１】
引手８によるスライダー操作は、引手８の摘み部３８を摘んで上方へ引張ると、枢軸３７が引手案内部２２に沿って滑動して、カバー７の後方被係合部３３を後方の取付柱１１のガイド面２１の可動上限まで持ち上げると同時に、爪孔２４から内部に突出している停止爪３０を後退させ、ガイド溝６から退避させてスライダーをファスナーチエン上を摺動させることができる。
【実施例１】
【００３２】
図１〜７に示す実施例１の自動停止装置付スライドファスナー用スライダーは、亜鉛合金またはアルミニウム合金などの金属をダイカスト成形手段によって胴体１を成形し、スチール板などをプレス加工することによってカバー７を形成し、引手８は金属をダイカスト成形するのが好適であるが、合成樹脂例えばポリアミド、ポリアセタール、ポリプロピレン、ポリブチレンテレフタレートなどの熱可塑性樹脂を用いて成形することも可能であり、また引手８は個人が持ち合わせているものを使用することも容易にできる。
【００３３】
自動停止機構を備えたスライダーは、胴体１、カバー７、引手８の３部材から構成され、カバー８にはロック機構として停止爪３０をカバー８の一方の側面に設け、引手８の操作によって停止爪３０を左右のファスナーエレメントの間に挿入できる形態に形成し、ここに記載された例として図示されたスライダーに適用できるファスナーエレメントは、ファスナーテープの一側縁に表裏対称に挟着させたファスナーエレメント、例えば金属のダイカスト成形によるファスナーエレメント、またプレス加工によるファスナーエレメント、さらに合成樹脂を射出成形によって成形する樹脂製ファスナーエレメント、他に樹脂のモノフィラメントのジグザグ状タイプのファスナーエレメントをファスナーテープの一側縁に挟持し取り付けたファスナーチエンに適用できる。これ以外にコイル状タイプのファスナーエレメントをファスナーテープの一側縁上に取り付けたファスナーチエンの場合は、スライダーの胴体１におけるフランジ５をファスナーエレメントが存在する側のみに形成することによって用いることができ、従ってスライダーにおける胴体１の形態は隠しタイプ以外の全てのタイプに適用することができる。引手８は後付けタイプのスライダーであるから、引手８は顧客自身が用意した手持ちの引手８を用いてスライダーを組立てるため、スライダーの組立てが手作業によっても組立てることができる自動停止装置付スライダーである。
【００３４】
スライダーの胴体１は図１に示すように、上翼板２と下翼板３とを案内柱４で連結し上翼板２と下翼板３の両側縁にファスナーエレメントをガイドするフランジ５を曲設して、各種のファスナーエレメントをガイドするガイド溝６を形成し、上翼板２の中央長手方向には一方側へ偏った位置に停止爪３０用の爪孔２４を穿設し、この爪孔２４の前後に前方の取付柱１０、後方の取付柱１１をそれぞれ上翼板２上に立設する。
【００３５】
前方の取付柱１０は、胴体１の案内柱４上にカバー７を載置できる台形の支持部１２を長手方向を向くように設け、この支持部１２の前面にカバー７に設けた弾性片３１が弾接して嵌装できる傾斜する案内面１７を設け、この案内面１７の両側に起立する張出し部１３を設け、この張出し部１３の頂端から中程すなわち半ばにかけて後口側に向って延びる鍵形状のフック片１５を延設し、このフック片１５の下方に一段と窪んだ収容部１６を設けてカバー７に形成した前方被係合部３２を収容することで係合し、この収容部１６の前方は、カバー７の前方被係合部３２の先端と対面し、かつ封鎖された前端部３６を備えることで、前方被係合部３２を安定した形態で保持する。さらに収容部１６の中央に小形の小突起２３を設けてカバー７の前方被係合部３２の内面が当接できる形に形成する。
【００３６】
張出し部１３とフック片１５は支持部１２の両側に設置し、張出し部１３とフック片１５との境界には張出し部１３が側面へ突出して段差を設け、この段差がカバー７をセットする際、カバー７に設けた前方被係合部３２を押込むのにガイド面としての役目を果すガイド部１４を形成する。このガイド部１４と収容部１６の前端すなわち肩口側においては上下で一致する。さらに張出し部１３を側面からみた側面形状は、頂端から中央にかけて漸次幅が広幅状を呈する形に形成して、ガイド部１４が胴体１に対して傾斜状を呈するように形成して、カバー７の前方被係合部３２を円滑に誘導できる形態に形成する。またフック片１５の頂端は支持部１２より上方へ突出しカバー７の弾性片３１の収容を容易にでき安定化を図る。またフック片１５の頂端側は内側へ向けて傾斜する斜面１９を設けて、カバー７の前方被係合部３２を押込む操作が容易にできる形に形成し、支持部１２と張出し部１３およびフック片１５とは三者一体になるように一体成形する。
【００３７】
なお、前方の取付柱１０の側面に設置する張出し部１３とフック片１４との間に設けるガイド部１４を取付柱１０の片側のみに形成してもよい。たとえば図８に示すように、張出し部１３とフック片１５との境界の表面に段差を設けず平坦状に形成しても、カバー７の前方被係合部３２を他方のガイド部１４によって、容易に収容部１６へ誘導して収容し係合させることができる。
【００３８】
胴体１の上翼板２上に立設する後方の取付柱１１は、内面両側にカバー７に設けた後方被係合部３３が上下に可動を容易にできるようにするため、凸条に突出するガイド面２１を側面に設け、また後方の取付柱１１の頂端には内側へ鍵形に突出する頂部２６を形成して、後方被係合部３３が上方へ可動するのをストップさせる。さらに後方の取付柱１１の内面すなわち肩口側には爪孔２４を避けて一方側へ偏倚した位置に爪孔２４と平行する形で引手案内部２２を突設し、この引手案内部２２は肩口側へ向けて傾斜する形で設けて引手８の枢軸３７が摺接してガイドできるように形成する。
【００３９】
胴体１の上翼板２上に設けた前方の取付柱１０および後方の取付柱１１における側面の隅角部分、すなわちカバー７の前方被係合部３２および後方被係合部３３の下端と対面する部分には、低く隆起する隆起部３５を設け、カバー７を前後の取付柱１０，１１にセットしたとき、カバー７ががたつくのを防止する。また上翼板２の前後の取付柱１０，１１の間に窪んだ凹条溝２５を設け、引手８を装着するのに直線状の枢軸３７でなく、リング状のクランパーを介して取り付けたとき、クランパーがスムーズに上翼板２上を可動できるように形成する。また支持部１２の前端に設ける案内面１７の下端は、胴体１の案内柱４に食い込む凹状の凹溝１８を設け、カバー７に設けた弾性片３１の長短に関係なく容易に収容できるように形成する。
【００４０】
カバー７は、側壁２７と上壁２８とを曲設し、上壁２８の前端に支持部１２の前面に設けた傾斜する案内面１７に弾接できる弾性片３１を上壁２８に延設する。両側の側壁２７には、枢軸３７が嵌挿することができる開口部２９を設け、一方側に形成した開口部２９の後端から連接する形で停止爪３０を下方へ向けて突設し、側壁２７の下端における前後にそれぞれ外側へ突出する前方被係合部３２と後方被係合部３３とを設け、前方の取付柱１０の収容部１６および後方の取付柱１１のガイド面２１に嵌装し係合できる形態に形成する。
【００４１】
スライダーの組立ては、カバー７の開口部２９に引手８の枢軸３７を嵌挿し、後方被係合部３３を後方の取付柱１１のガイド面２１に挿入するとともに、停止爪３０を爪孔２４に対向させ、弾性片３１を支持部１２の前面に設けた案内面１７に弾接させながら、カバー７の前方被係合部３２を前方の取付柱１０に形成したフック片１５の斜面１９を利用して上方から押込む、この際ガイド部１４によって、前方被係合部３２の先端が、収容部１６の前端部３６に接触するので、前方被係合部３２が所定の位置からずれることがなく、小突起１６を中心にカバー７が回動できる形に収容部１６に収容し係合させる。
【００４２】
引手８によるスライダー操作は、引手８の摘み部３８を摘んで上方へ引張ると、枢軸３７が引手案内部２２に沿って滑動して、カバー７の後方被係合部３３を後方の取付柱１１のガイド面２１に沿って可動上限まで持ち上げると同時に、爪孔２４からガイド溝６の内部に突出している停止爪３０を上方へ後退させ、ガイド溝６から停止爪３０を退避させてスライダーをファスナーチエンの前後方向へ摺動させることができる。
【実施例２】
【００４３】
図９，１０に示す実施例２の自動停止装置付スライドファスナー用スライダーは、前記実施例１のスライダーと同様の形態のスライダーであり、異なる構成は、前方の取付柱１０における支持部１２の両側に設置する張出し部１３とフック片１５との関連構成が異なる以外は、前例と同一形態の構成である。
【００４４】
胴体１上に立設した前方の取付柱１０は、中央に台形の支持部１２を設け、この支持部１２の両側に支持部１２より突出する張出し部１３を設け、この張出し部１３の略上半部に後口側へ延びたフック片１５を設け、フック片１５の頂端側は内側へ向けて傾斜する斜面１９を設け、張出し部１３とフック片１５との境界に段差をつけて、カバー７の前方被係合部３２をガイドできるガイド部１４を設ける。このガイド部１４は上方においては段差が大きく、下方においては張出し部１３とフック片１５とが段差がない形態に形成したものであり、また支持部１２の上端とフック片１５との間においても段差を設けない。段差部分を張出し部１２とフック片１５の上方のみに設けても作用効果においては前例と差異がない。
【００４５】
なお、この実施例では前方の取付柱１０の支持部１２の下方に設ける収容部１６の基部の隅角部分に隆起する隆起部３５を設けていない。またスライダーの組立ておよびスライダーの操作は前例と同一態様である。
【産業上の利用可能性】
【００４６】
この発明の自動停止装置付スライダーは、顧客が所望の引手を用いて、自分自身でスライダーを組立てたいときは、工具を用いず簡単かつ容易に組立てることができる形態であり、スライダーは各種のファスナーエレメントを用いたファスナーチエンに装備させることができ、ファスナーチエンは各種分野において用いることができる。
【図面の簡単な説明】
【００４７】
【図１】実施例１に基づく自動停止装置付スライドファスナー用スライダーの分解斜視図である。
【図２】同上スライダーの組立て後のスライダーの斜視図である。
【図３】同上スライダーの前方の取付柱を示す斜視図である。
【図４】同上スライダーのカバー装着時の状態を示す一部切欠した正面図である。
【図５】同上スライダーのカバー装着後の状態を示す一部切欠した正面図である。
【図６】同上スライダーの図４に示すＡ−Ａ断面図である。
【図７】同上スライダーの図５に示すＢ−Ｂ断面図である。
【図８】同上スライダーの変形例を示す断面図である。
【図９】実施例２に基づくスライダーの前方の取付柱を示す斜視図である。
【図１０】同上スライダーの図９における断面図である。
【図１１】公知のスライダーのカバー材の展開図である。
【図１２】同上のカバーの斜視図である。
【図１３】他の公知のスライダーの分解斜視図である。
【符号の説明】
【００４８】
１      胴体
７      カバー
８      引手
１０    前方の取付柱
１１    後方の取付柱
１２    支持部
１３    張出し部
１４    ガイド部
１５    フック片
１９    斜面
２４    爪孔
２７    側壁
２８    上壁
２９    開口部
３０    停止爪
３１    弾性片
３２    前方被係合部
３３    後方被係合部
３６    前端部
３７    枢軸
【図１】
0004632924.tif 000002
【図２】
0004632924.tif 000003
【図３】
0004632924.tif 000004
【図４】
0004632924.tif 000005
【図５】
0004632924.tif 000006
【図６】
0004632924.tif 000007
【図７】
0004632924.tif 000008
【図８】
0004632924.tif 000009
【図９】
0004632924.tif 000010
【図１０】
0004632924.tif 000011
【図１１】
0004632924.tif 000012
【図１２】
0004632924.tif 000013
【図１３】
0004632924.tif 000014